(57)【要約】【課題】  マイクロコンピュータによる待機電力の消費をなくすことができる食器洗浄機を提供する。【解決手段】  信号用基板２１に搭載された電源スイッチ２２がオンされると、電力用基板２６に搭載された直流電源回路２９中の直流電源生成回路に商用交流電源３９の交流電源電圧が交流電源供給線２７ａ、電源スイッチ２２及び交流電源供給線２７ｂを介して供給され、直流電源生成回路が直流制御電源電圧を生成して電力用基板２６に搭載されたメインマイクロコンピュータ３４に供給するとともに直流電源供給線２７ｅ及び２７ｆを介して信号用基板２１に搭載のサブマイクロコンピュータ２５に供給する。これにより、メインマイクロコンピュータ３４が起動してリレー装置３０を動作させ、これに前記直流電源生成回路に対する電源スイッチ２２を介さない交流電源電圧の供給回路を形成させる。【選択図】  図１
2005185766.tif 000002
【特許請求の範囲】
【請求項１】
洗浄機本体の洗浄室の開口部を開閉する扉内に設けられた信号用基板と、
前記洗浄機本体に設けられた電力用基板とを備え、
前記信号用基板には、電源スイッチと、操作スイッチと、表示用ＬＥＤと、サブマイクロコンピュータとが設けられ、
前記電力用基板には、直流電源生成回路と、リレー装置と、リレー駆動回路と、メインマイクロコンピュータとが設けられ、
前記信号用基板と電力用基板とは、データ送受信用及び電源供給用の複数本のリード線により接続されており、
前記電源スイッチがオンされたときには、この電源スイッチと前記リード線を介して前記直流電源生成回路に商用交流電源を与えて直流制御電源を生成させ、この直流制御電源を前記メインマイクロコンピュータに与えて起動させ、
前記メインマイクロコンピュータは、起動により、前記リレー駆動回路を介してリレー装置を動作させて前記電源スイッチを迂回して前記直流電源生成回路に対する商用交流電源の供給回路を形成するように構成されていることを特徴とする食器洗浄機。
【請求項２】
リレー装置は、第１及び第２のリレーからなり、第１のリレーのリレースイッチは、電源スイッチに並列に接続され、第２のリレーのリレースイッチは、商用交流電源と直流電源生成回路との間に接続されていることを特徴とする請求項１記載の食器洗浄機。
【請求項３】
リレー装置は、第１及び第２のリレーからなり、第２のリレーのリレースイッチは、商用交流電源と直流電源生成回路との間に接続され、第１のリレーのリレースイッチは、第２のリレーのリレースイッチと直列に接続されて、この直列回路が電源スイッチに並列に接続されていることを特徴とする請求項１記載の食器洗浄機。
【発明の詳細な説明】
【技術分野】
【０００１】
本発明は、マイクロコンピュータによって制御される食器洗浄機に関する。
【背景技術】
【０００２】
食器洗浄機においては、マイクロコンピュータにより給水弁、洗浄ポンプ、排水ポンプ、ヒータ及びファン等の負荷を制御して洗浄運転を行なわせるのが通常であり、マイクロコンピュータは、運転停止状態では、電源スイッチがオンされることを常に監視して、電源スイッチオンによるオン信号を検出すると、リレーを動作させて負荷への電源供給回路を形成し、所定のルーチンで洗浄運転を実行させるものである（特許文献１参照）。
【特許文献１】特開２００３−２３０５２８号公報（第２−３頁）
【発明の開示】
【発明が解決しようとする課題】
【０００３】
上記従来の構成によれば、マイクロコンピュータは、運転停止状態では、常に電源スイッチがオンされることを監視するものであるので、常時直流制御電源が供給されている状態になっており、待機電力を消費する不具合がある。
本発明は上記事情に鑑みてなされたものであり、その目的は、マイクロコンピュータによる待機電力の消費をなくすことができる食器洗浄機を提供するにある。
【課題を解決するための手段】
【０００４】
本発明の食器洗浄機は、洗浄機本体の洗浄室の開口部を開閉する扉内に設けられた信号用基板と、前記洗浄機本体に設けられた電力用基板とを備え、前記信号用基板には、電源スイッチと、操作スイッチと、表示用ＬＥＤと、サブマイクロコンピュータとが設けられ、前記電力用基板には、直流電源生成回路と、リレー装置と、リレー駆動回路と、メインマイクロコンピュータとが設けられ、前記信号用基板と電力用基板とは、データ送受信用及び電源供給用の複数本のリード線により接続されており、
前記電源スイッチがオンされたときには、この電源スイッチと前記リード線を介して前記直流電源生成回路に商用交流電源を与えて直流制御電源を生成させ、この直流制御電源を前記メインマイクロコンピュータに与えて起動させ、前記メインマイクロコンピュータは、起動により、前記リレー駆動回路を介してリレー装置を動作させて前記電源スイッチを迂回して前記直流電源生成回路に対する商用交流電源の供給回路を形成するように構成されているところに特徴を有する。
【発明の効果】
【０００５】
本発明の食器洗浄機によれば、メインマイクロコンピュータは、電源スイッチがオンされることにより直流電源生成回路から直流制御電源が与えられて起動するので、洗浄運転停止状態では、電源スイッチのオンを監視する必要はなく、直流制御電源の受給は不要であり、従って、待機電力の消費をなくすことができる。しかも、メインマイクロコンピュータは、起動により、リレー駆動回路を介してリレー装置を動作させて電源スイッチを迂回して前記直流電源生成回路に対する商用交流電源の供給回路を形成するので、その後の洗浄運転を支障なく実行することができる。
【発明を実施するための最良の形態】
【０００６】
（第１の実施例）
以下、本発明の第１の実施例につき、図１乃至図５を参照しながら説明する。
まず、図４には、洗浄機本体１と、これの前面側に設けられた扉２と、及び該扉２の下方部に設けられたカバー３とが示されている。
このうち、洗浄機本体１は、外箱４を外殻とし、これの内部に図５に一部のみ示す内箱５が配設されて構成され、該内箱５の内部が洗浄室６とされている。この洗浄室６は、前面側、この場合、前面部から上面の前部にかけてが、開口部７で示すように開口しており、洗浄室６内には、その開口部７から図示しない食器かごが取出し可能に収納されるようになっている。この食器かごには洗浄すべき食器（これも図示せず）が収納配列されるものであり、従って、開口部７は、該食器かごの出し入れととともに食器の出し入れに供されるようになっている。
【０００７】
図示はしないが、洗浄室６内には、噴射体やヒータ８（図１参照）が配設され、洗浄室６外（洗浄機本体１内）に給水弁９（図１参照）や水位検知装置、洗浄ポンプ、排水ポンプ、及びファン等が配設されて、これらの洗浄及び乾燥手段により、上記食器かごに収納配列された食器の洗浄及び乾燥を行なうようになっている。
扉２は、詳細には、下扉１０と上扉１１（図４参照）からなっている。そのうち、下扉１０は、下端部の左右両側が開口部７に上下に回動可能に軸支されており、そのうちの下方への回動によって前記洗浄機本体１の開口部７の下部を開放するようになっている。上扉１１は、開口部７に摺動可能に設けられており、具体的には、前面部分が上下方向に及び上面部分が前後方向に移動するようになっていて、その上方及び後方の移動により開口部７の上部を開放するようになっている。尚、下扉１０には押釦１２が設けられており、この押釦１２が押圧操作されると、図示しない開閉機構により下扉１０及び上扉１１が連動して開放されるようになっている。又、上扉１１には、乾燥運転に排気を行なう排気口１３が形成されている。
【０００８】
一方、下扉１０には、操作パネル１４が装着されている。この操作パネル１４は、洗浄及び乾燥運転について必要な操作を行なうためのもので、図４に示すように、電源の操作を行なうための操作部１５と、各種の設定操作を行なうための操作部１６と、表示部１７とを有する。
図５は、上記操作パネル１４が存する部分を主とした下扉１０、並びにその下方の前記カバー３の部分における構成を詳細に示しており、下扉１０は、外殻が扉表板１８と扉裏板１９とで構成されている。上記操作パネル１４は、そのうちの扉表板１８に設けられており、前記押釦１２も扉表板１８に設けられている。更に、下扉１０内には、ユニットケース２０が配設されており、その内部には、信号用基板２１が収納されている。そして、信号用基板２１には、図１及び図５に示すように、前記操作パネル１４の電源操作用の操作部１５と対応する電源スイッチ２２、各種の操作部１６に対応する操作スイッチ２３、表示部１７に対応する表示用ＬＥＤ２４及びこれらに関連するサブマイクロコンピュータ２５が搭載されており、後述する電力用基板２６と接続するための線束２７を有している。
【０００９】
ここで、電力用基板２６は、図５に示すように、ユニットケース２８に収納されたもので、そのユニットケース２８は、前記カバー３の裏側に着脱可能に取付けられており、この電力用基板２６に前記線束２７が接続されている。そして、電力用基板２６には、図１に示すように、直流電源回路２９、リレー装置３０、リレー駆動回路３１、インバータ３２、負荷駆動回路３３及びこれらを制御するメインマイクロコンピュータ３４が搭載されている。
【００１０】
さて、図１乃至図３に基づいて電気的構成を説明する。
まず、図１において、信号用基板２１における操作スイッチ２３はサブマイクロコンピュータ２５の入力ポートに接続され、サブマイクロコンピュータ２５の出力ポートには表示用ＬＥＤ２４が接続されている。又、電源スイッチ２２は、入り（オン）スイッチ２２ａ（図２参照）と切り（オフ）スイッチ２２ｂ（図３参照）とからなる。この場合、入りスイッチ２２ａと切りスイッチ２２ｂは、電源用操作部１５の対応する部分が押圧操作されている間だけオンするようになっている。そして、後述するように、線束２７は、複数本のリード線としての交流電源供給線２７ａ、２７ｂ、電源信号線２７ｃ、２７ｄ、直流電源供給線２７ｅ、２７ｆ及びデータ送受信線２７ｇ、２７ｈから構成されている。
【００１１】
電力用基板２６に構成される電気回路については、図２及び図３に示す実結線の説明から明らかになる。ここで、リレー装置３０は、励磁コイル３０Ａｃ及び常開のリレースイッチ３０Ａａを有する第１のリレー３０Ａと、励磁コイル３０Ｂｃ及び常開のリレースイッチ３０Ｂａを有する第２のリレー３０Ｂとから構成されている。
図２において、信号用基板２１に搭載された電源スイッチ２２（図１参照）の入りスイッチ２２ａの両端子は、交流電源供給線２７ａ、２７ｂにより電力用基板２６に導かれ、且つ、抵抗器３５、３６を介して交流電源線３７、３８に接続されている。そして、交流電源線３５は、１００Ｖの商用交流電源３９の一方の端子に接続されており、又、交流電源線３７、３８間には、第１のリレー３０Ａのリレースイッチ３０Ａａが接続されている。この場合、抵抗器３５、３６の抵抗値は、極めて小に設定されている。
【００１２】
商用交流電源３９において、その一方の端子は、第２のリレー３０Ｂのリレースイッチ３０Ｂａ、コモンモードコイル４０の一方のコイル４０ａ、扉スイッチ４１、交流電源線４２及びリアクタ４３を直列に介して直流電源回路２９における全波整流回路４４の一方の交流入力端子に接続され、他方の端子は、コモンモードコイル４０の他方のコイル４０ｂを介して全波整流回路４４の他方の交流入力端子に接続されている。そして、全波整流回路４４の直流出力端子は、直流母線４５、４６に接続されており、その直流母線４５、４６間には、平滑用コンデンサ４７が接続されている。尚、扉スイッチ４１は、下扉１０の開閉に連動して開閉（オフオン）するようになっている。
【００１３】
直流電源回路２９の一部をなす直流電源生成回路４８は、ＤＣ／ＤＣコンバータ４９を主体として構成され、そのＤＣ／ＤＣコンバータ４９の入力端子Ｉとアース端子Ｅとの間には、平滑用コンデンサ５０が接続されている。この場合、前記平滑用コンデンサ４７の容量は平滑用コンデンサ５０のそれよりも極めて大に設定されている。尚、ＤＣ／ＤＣコンバータ４９のアース端子Ｅは、直流母線４６に接続され、その直流母線４６は、電力用基板２６のアースパターン５１に接続されている。
【００１４】
ＤＣ／ＤＣコンバータ４９において、その入力端子Ｉは、図示極性の整流用ダイオード５２を介して交流電源線３８に接続されているとともに、図示極性のダイオード５３を介して直流母線４５に接続されている。更に、ＤＣ／ＤＣコンバータ４９において、一方の出力端子Ｏａは、１５Ｖの直流制御電源端子５４に接続されているとともに、平滑用コンデンサ５５を介して直流母線４６に接続されており、他方の出力端子Ｏｂは、５Ｖの直流制御電源端子５６に接続されているとともに、平滑用コンデンサ５７を介して直流母線４６に接続されている。
【００１５】
以上のような図２で示す電気的構成によれば、リレー装置３０において、第１のリレー３０Ａのリレースイッチ３０Ａａは、抵抗器３５、３６を介して電源スイッチ２２の入りスイッチ２２ａに並列に接続されていることになり、又、第２のリレー３０Ｂのリレースイッチ３０Ｂａは、商用交流電源３９と直流電源回路２９との間に直列に、換言すれば、商用交流電源３９と直流電源生成回路４８との間に直列に接続されていることになる。
【００１６】
尚、ＤＣ／ＤＣコンバータ４９は、入力端子Ｉとアース端子Ｅとの間に供給された高圧の直流電源電圧を降圧し定電圧化して、一方の出力端子Ｏａと直流母線４６（アースパターン５１）との間に１５Ｖの直流制御電源電圧を出力するとともに、他方の出力端子Ｏｂと直流母線４６（アースパターン５１）との間に５Ｖの直流制御電源電圧を出力するようになっている。そして、出力端子Ｏｂと直流母線４６（アースパターン５１）との間に５Ｖの直流制御電源電圧は、図１に示すように、直流電源供給線２７ｅ、２７ｆを介して信号用基板２１側に供給されるようになっており、サブマイクロコンピュータ２５及びその他の回路の直流電源電圧となる。この場合、直流電源供給線２７ｆをアースパターン５１に接続されたアース線とする。
【００１７】
又、図１に示すように、メインマイクロコンピュータ３４の入出力ポートとサブマイクロコンピュータ２５の入出力ポートとの間は、データ送受信線２７ｇ、２７ｈにより接続されており、これにより、メインマイクロコンピュータ３４とサブマイクロコンピュータ２５との間でデータのシリアル通信を行なうようになっている。
更に、図２において、交流電源線４２には、給水弁８、ヒータ９及びファンモータ５８の各一方の端子が接続されており、これらの給水弁８、ヒータ９及びファンモータ５８の各他方の端子は、負荷駆動回路３３を介してコイル４０ｂと全波整流回路４４の交流入力端子との共通接続点の交流電源線５９に接続されている。負荷駆動回路３３は、給水弁８、ヒータ９及びファンモータ５８にそれぞれ対応する例えば双方向性三端子サイリスタ（トライアック）から構成されるもので、図１に示すように、メインマイクロコンピュータ３４により制御される。又、直流母線４５、４６には、インバータ３２の直流入力端子が接続されている。
【００１８】
インバータ３２は、図１に示すように、メインマイクロコンピュータ３４により制御されて、ブラシレスモータ６０を可変速駆動するようになっている。そして、ブラシレスモータ６０は、正回転時には洗浄ポンプを駆動して洗浄水を噴射体に供給させ、逆回転時には排水ポンプを駆動して洗浄水を外部に排出させるようになっている。
【００１９】
さて、リレー駆動回路３１について、図３を参照して説明する。信号用基板２１に搭載された電源スイッチ２２の切りスイッチ２２ｂの両端子は、電源信号線２７ｃ、２７ｄを介して電力用基板２６に導入され、電源信号線２７ｃは、抵抗器６１を介して直流制御電源端子５６（５Ｖ）に接続されているとともに、抵抗器６２を介してＮＰＮ形のトランジスタ６３のベースに接続され、電源信号線２７ｄは、アースパターン５１に接続されている。
【００２０】
又、トランジスタ６３において、そのコレクタは、第１のリレー３０Ａの励磁コイル３０Ａｃ及び第２のリレー３０Ｂの励磁コイル３０Ｂｃの並列回路を介して直流制御電源端子５４（１５Ｖ）に接続され、エミッタは、ＮＰＮ形のトランジスタ６４のコレクタに接続されている。トランジスタ６４のエミッタは、アースパターン５１に接続されているとともに、抵抗器６５を介してベースに接続されており、そのベースは、抵抗器６６を介してＰＮＰ形のトランジスタ６７のコレクタに接続されている。このトランジスタ６７は、エミッタが直流制御電源端子５６に接続されているとともに抵抗器６８を介してベースに接続され、そのベースが抵抗器６９を介してメインマイクロコンピュータ３４の出力ポートＰに接続されていて、その出力ポートＰがロウレベルになると、オンするようになっている。そして、メインマイクロコンピュータ３４の電源端子は、直流制御電源端子５６及びアースパターン５１に接続されており、メインマイクロコンピュータ３４は、電源端子に５Ｖの直流制御電源電圧が供給されると、起動して出力ポートＰをロウレベルにするようになっている。
【００２１】
次に、本実施例の作用につき説明する。
今、使用者が操作パネル１４の電源用操作部１５を操作して電源スイッチ２２の入りスイッチ２２ａをオンさせると、図２に示すように、交流電源線３７、抵抗器３５、交流電源供給線２７ａ、入りスイッチ２２ａ、交流電源供給線２７ｂ、抵抗器３６、交流電源線３８、整流用ダイオード５２、平滑用コンデンサ５０、全波整流回路４４、交流電源心５９及びコイル４０ｂの経路で平滑用コンデンサ５０が商用交流電源３９により充電され、その充電電圧がＤＣ／ＤＣコンバータ４９の入力端子Ｉとアース端子Ｇとの間に供給される。これにより、ＤＣ／ＤＣコンバータ４９は、直流制御電源端子５４（出力端子Ｏａ）とアースパターン５１との間に１５Ｖの直流制御電源電圧を出力するとともに、直流制御電源端子５６（出力端子Ｏｂ）とアースパターン５１との間に５Ｖの直流制御電源電圧を出力する。
【００２２】
直流制御電源端子５６とアースパターン５１との間の５Ｖの直流制御電源電圧は、メインマイクロコンピュータ３４の電源端子に供給されるので、メインマイクロコンピュータ３４が起動して、図３に示すように、出力ポートＰをロウレベルにする。これにより、トランジスタ６７がオンしてトランジスタ６４をオンさせ、この時には、トランジスタ６３が５Ｖの直流制御電源電圧によりベースがハイレベルになっていてオンされているので、励磁コイル３０Ａｃ及び３０Ｂｃが１５Ｖの直流制御電源電圧により通電されてリレー３０Ａ及び３０Ｂが動作し、リレースイッチ３０Ａａ及び３０Ｂａをオンさせる。
【００２３】
第１のリレー３０Ａのリレースイッチ３０Ａａがオンすると、入りスイッチ２２ａを迂回する、具体的には、入りスイッチ２２ａを側路する平滑コンデンサ５０に対する商用交流電源３９の交流電源電圧の供給回路が形成さることになる。従って、その後に入りスイッチ２２ａがオフされても支障はない。又、第２のリレー３０Ｂのリレースイッチ３０Ｂａがオンすると、商用交流電源３９の交流電源電圧が交流電源線４２、５９に供給されるとともに、該交流電源電圧が直流電源回路２９に供給されるようになり、平滑用コンデンサ４７に１４１Ｖの直流電圧が生じる。この平滑用コンデンサ４７の１４１Ｖの直流電圧は、インバータ３２に供給されるとともに、ダイオード５３を介して平滑用コンデンサ５０に供給され、従って、以後は平滑用コンデンサ５０は平滑用コンデンサ４７により充電され、第１のリレー３０Ａのリレースイッチ３０Ａａには電流は流れなくなる。
【００２４】
直流制御電源端子５６とアースバターン５１との間の５Ｖの直流制御電源電圧は、直流電源供給線２７ｅ、２７ｆを介して信号用基板２１側にも供給される。従って、サブマイクロコンピュータ２５も起動する。そこで、使用者が例えば複数の運転コースの一つを選択すべく各種設定用の操作部１６を操作して操作スイッチ２３をオンすると、サブマイクロコンピュータ２５は各運転コースに対応する複数個の表示用ＬＥＤ２４を順次点灯させる。そして、使用者が所望の運転コースに対応する表示用ＬＥＤ２４が点灯したときに操作部１６の操作を停止すると、サブマイクロコンピュータ２５は、選択された運転コース名をデータ送受信線２７ｇ、２７ｈを介してメインマイクロコンピュータ３４にデータとしてシリアル通信するようになる。
【００２５】
メインマイクロコンピュータ３４は、受信したデータから選択された運転コースに対応するプログラムを内蔵のＲＯＭからＲＡＭに読出す。そして、使用者が操作部１６を操作して操作スイッチ２３のうちのスタートスイッチをオンさせると、そのスタートスイッチオンの情報（データ）がサブマイクロコンピュータ２５からデータ送受信線２７ｇ、２７ｈを介してメインマイクロコンピュータ３４に与えられるようになる。そこで、メインマイクロコンピュータ３４は、ＲＡＭに読込んだプログラムに基づいて負荷駆動回路３３及びインバータ２９を介して給水弁８、ブラシレスモータ６０、ヒータ９及びファンモータ５８を制御し、以て、食器の洗浄及び乾燥運転を実行する。
【００２６】
上記運転中に扉２が開放されて扉スイッチ４１がオフされときには、直流電源回路２９の全波整流回路４４に対する商用交流電源３９からの電源電圧の供給が停止されるので、短時間後に平滑用コンデンサ４７が放電完了してＤＣ／ＤＣコンバータ４９に対する直流電源電圧の供給が停止されてしまう。しかしながら、このときには、第１のリレー３０Ａのリレースイッチ３０Ａａがオンしているので、このリレースイッチ３０Ａａ及び整流用ダイオード５２を介して平滑用コンデンサ５０が充電されるようになり、ＤＣ／ＤＣコンバータ４９に対する直流電源電圧の供給が続行される。従って、メインマイクロコンピュータ３４及びサブマイクロコンピュータ２５に対する直流制御電源電圧の供給は継続されて、これらが不用意に動作停止状態になることが防止される。
【００２７】
又、上記運転中に停電が発生したときには、平滑用コンデンサ４７及び５０の双方に対する交流電源電圧の供給が停止されるようになる。しかしながら、平滑用コンデンサ４７の容量は大であるので、これが放電するまでの短時間は、メインマイクロコンピュータ３４の動作は可能であり、メインマイクロコンピュータ３４は、停電が発生すると、この短時間を利用して、ＲＡＭに記憶された再運転に必要なデータを例えば不揮発性メモリに記憶させる。従って、停電が復帰したときにメインマイクロコンピュータ３４が不揮発性メモリの記憶内容を読み出すようにすれば、運転を支障なく再開させることができる。
【００２８】
しかして、上述したような食器の洗浄及び乾燥運転が終了すると、メインマイクロコンピュータ３４はポログラム動作を停止してサブマイクロコンピュータ２５からの指令信号を待つ待機状態になる。そこで、使用者が操作パネル１４の電源用操作部１５を操作して電源スイッチ２２の切りスイッチ２２ｂをオンさせると、図３に示すように、トランジスタ６３のベースが抵抗器６２、電源信号線２７ｃ、切りスイッチ２２ｂ及び電源信号線２７ｄを経てアースパターン５１に接続されてロウレベルになるので、トランジスタ６３がオフし、リレー３０Ａ及び３０Ｂの励磁コイル３０Ａｃ及び３０Ｂｃの通電が断たれ、該リレー３０Ａ及び３０Ｂが復帰してリレースイッチ３０Ａａ及び３０Ｂａをオフさせる。
【００２９】
第２のリレー３０Ｂのリレースイッチ３０Ｂａがオフすると、商用交流電源３９からの交流電源電圧が交流電源線４２、５９及び直流電源回路２９に供給されなくなり、又、第１のリレー３０Ａのリレースイッチ３０Ａａがオフすると、商用交流電源３９からの交流電源電圧が直流電源生成回路４８に供給されなくなり、この結果、ＤＣ／ＤＣコンバータ４９が１５Ｖ及び５Ｖの直流制御電源電圧の生成を停止する。そして、ＤＣ／ＤＣコンバータ４９の５Ｖの直流制御電源電圧の生成の停止によって、メインマイクロコンピュータ３４及びサブマイクロコンピュータ２５が待機状態を解除されて最初の無電圧の状態に戻る。
【００３０】
尚、図１に示すような交流電源供給線２７ａ、２７ｂ、電源信号線２７ｃ、２７ｄ、直流電源供給線２７ｅ、２７ｆ及びデータ送受信線２７ｇ、２７ｈからなる線束２７は、図５で示すように、上下方向に回動される下扉１０に設けられた信号用基板２１と固定部位のカバー３に設けられた電力用基板２６との間を接続するものであるので、これらの線２７ａ乃至２７ｈに応力が加わって断線短絡する可能性は皆無とはいえない。万一、このような事態が発生した場合には、抵抗器３５、３６を介して交流電源線３７、３８に短絡電流が流れて低抵抗値の抵抗器３５、３６が瞬時に溶断するようになり、信号用基板２１側に対して商用交流電源３９の電源電圧の影響を及ぼすことはない。
【００３１】
このような本実施例によれば、信号用基板２１に電源スイッチ２２を設けて、その入りスイッチ２２ａがオンされたときに電力用基板２６側の直流電源作成回路４８に交流電源電圧を供給して５Ｖの直流制御電源電圧を作成させ、これを電力用基板２６側のメインマイクロコンピュータ３４及び信号用基板２１側のサブマイクロコンピュータ２５に供給して起動させるようにしたので、運転停止状態において、メインマイクロコンピュータ３４及びサブマイクロコンピュータ２５に常時直流制御電源電圧を供給する待機状態にする必要はなくなり、待機電力の消費をなくすことができて、省電力化を図ることができる。
【００３２】
又、メインマイクロコンピュータ３４が起動したときには、該メインマイクロコンピュータ３４がリレー装置３０を動作させて、その第１のリレー３０Ａのリレースイッチリレー３０Ａａにより入りスイッチ２２ａを側路する回路を形成するようにしたので、その後に入りスイッチ２２ａがオフされても、直流電源作成回路４８の動作に支障はない。そして、入りスイッチ２２ａとしては、メインマイクロコンピュータ３４が起動するまでの間だけ直流電源作成回路の４８の平滑用コンデンサ５０に充電電流を流すだけであるので、電流容量に小なる小形で安価のもので充分である。
【００３３】
しかも、直流電源作成回路４８に対する交流電源電圧供給用として第１のリレー３０Ａを用い、交流電源線４２、５９及び直流電源回路２９に対する交流電源供給用として第２のリレー３０Ｂを用いるようにし、且つ、直流電源回路２９の直流電圧を直流電源作成回路４８に供給するようにしたので、リレー３０Ａ、３０Ｂのいずれが故障しても直流電源作成回路４８に対する電源は確保することができて、メインマイクロコンピュータ３４及びサブマイクロコンピュータ２５が動作停止することはなく、従って、上記故障に対して適切な処置を行なうことが可能である。そして、第１のリレー３０Ａ及び第２のリレー３０Ｂは、共通のリレー起動回路３１により駆動されるので、回路構成が簡単になる。その上、第１のリレー３０Ａ及び第２のリレー３０Ｂは、電源スイッチ２２の切りスイッチ２２ｂのオフによりメインマイクロコンピュータ３４とは無関係に復帰されるので、メインマイクロコンピュータ３４が暴走した場合でも確実に交流電源を遮断することができる。
【００３４】
尚、本実施例によれば、信号用基板２１及びこれに対応する操作パネル１４を下扉１０の上部に設けるようにしたので、例えば、カバー３に設ける場合に比し、使用者は腰をかがめることなく操作パネル１４を操作できるものであり、操作性をよくすることができるとともに、操作パネル１４が見易くなるので、視認性もよくすることができる。
【００３５】
（第２の実施例）
図６は本発明の第２の実施例を示し、前記第１の実施例の特に図２と異なるところは、第１のリレー３０Ａのリレースイッチ３０Ａａにおいて、その一方の端子が交流電源線３８に接続され、他方の端子がコイル４０ａと扉スイッチ４１との共通接続点に接続されている点にある。従って、第２のリレー３０Ｂのリレースイッチ３０Ｂａ、コイル４ａ及び第１のリレー３０Ａのリレースイッチ３０Ａａの直列回路は、抵抗器３５、入りスイッチ２２ａ及び抵抗器３６の直列回路に並列に接続され、結果として、リレースイッチ３０Ｂａ及び３０Ａａの直列回路が入りスイッチ２２ａに並列に接続されていることになる。
【００３６】
この第２の実施例によれば、第１のリレー３０Ａ及び第２のリレー３０Ｂがリレー駆動回路３１により駆動（動作）されたときには、第２のリレー３０Ｂのリレースイッチ３０Ｂａ、コイル４０ａ、第１のリレー３０Ａのリレースイッチ３０Ａａ及び整流用ダイオード５２を経て直流電源作成回路４８の平滑用コンデンサ５０の充電回路が形成されるようになる。平滑用コンデンサ５０は、常には平滑用コンデンサ４７によって充電されるが、扉スイッチ４１がオフされたときには、上記充電回路により充電されることになる。その他の動作は、第１の実施例と同様であり、従って、この第２の実施例によっても第１の実施例と同様の効果を得ることができる。
【００３７】
（第３の実施例）
図７は本発明の第３の実施例を示し、前記第１の実施例の特に図１と異なるところは、信号用基板２１において、電源スイッチ２２の切りスイッチ２２ｂの電源信号線２７ｄを直流電源供給線（アース線）２７ｆに接続した点にある。
この結果、信号用基板２１から電源スイッチ２２用として引き出されるのは、交流電源供給線２７ａ、２７ｂ及び電源信号線２７ｃの三本で済む利点がある。
【００３８】
（その他の実施例）
リレー装置３０は、電力用基板２６の上に搭載しなくても外付けで設けるようにしてもよい。
信号用基板２１及び電力用基板２６の一方或いは双方を細分化してもよい。
コモンモードコイル４０、扉スイッチ４１及びリアクタ４３は、必要に応じて設ければよく、設ける位置も図２に限定されない。
【００３９】
扉２の代わりに一枚の扉を設けるようにしてもよい。
その他、本発明は上記し且つ図面に示す実施例にのみ限定されるものではなく、要旨を変更し内範囲内で適宜変形して実施し得ることは勿論である。
【図面の簡単な説明】
【００４０】
【図１】本発明の第１の実施例の全体の電気的構成を示すブロック線図
【図２】信号用基板における電気的構成の結線図
【図３】リレー駆動回路の結線図
【図４】全体の外観斜視図
【図５】下扉部分の拡大縦断面図
【図６】本発明の第２の実施例を示す図２相当図
【図７】本発明の第３の実施例を示す図１の部分相当図
【符号の説明】
【００４１】
図面中、１は洗浄機本体、２は扉、３はカバー、６は洗浄室、７は開口部、１０は下扉、１１は上扉、１４は操作パネル、１５及び１６は操作部、１７は表示部、２１は信号用基板、２２は電源スイッチ、２２ａは入りスイッチ、２２ｂは切りスイッチ、２３は操作スイッチ、２４は表示用ＬＥＤ、２５はサブマイクロコンピュータ、２６は電力用基板、２７は線束、２７ａ及び２７ｂは交流電源供給線（リード線）、２７ｃ及び２７ｄは電源信号線（リード線）、２７ｅ及び２７ｆは直流電源供給線（リード線）、２７ｇ及び２７ｈはデータ送受信線（リード線）、２９は直流電源回路、３０はリレー装置、３０Ａは第１のリレー、３０Ａａはリレースイッチ、３０Ｂは第２のリレー、３０Ｂａはリレースイッチ、３１はリレー駆動回路、３４はメインマイクロコンピュータ、３９は商用交流電源、４８は直流電源生成回路を示す。
【図１】
2005185766.tif 000003
【図２】
2005185766.tif 000004
【図３】
2005185766.tif 000005
【図４】
2005185766.tif 000006
【図５】
2005185766.tif 000007
【図６】
2005185766.tif 000008
【図７】
2005185766.tif 000009